(57)【要約】【課題】作業効率良く光波測量を行うことができると共に、低コストで製造することができる光波測量用ターゲットを提供する。【解決手段】光波測量用ターゲット１を、円柱状のターゲット本体１０と、ターゲット本体の側周面に全周にわたり貼着された反射シートからなる反射層２１とを具備する構成とする。光波測量用ターゲット１は、上記構成に加え、反射層２１を被覆している可撓性の透明な樹脂シートからなる保護層２２を具備する構成とすることができる。【選択図】図１
2015145787.tif 000002
【特許請求の範囲】
【請求項１】
円柱状のターゲット本体と、
該ターゲット本体の側周面に全周にわたり貼着された反射シートからなる反射層と
を具備することを特徴とする光波測量用ターゲット。
【請求項２】
前記反射層を被覆している可撓性の透明な樹脂シートからなる保護層を、更に具備する
ことを特徴とする請求項１に記載の光波測量用ターゲット。
【請求項３】
前記ターゲット本体の上面に設けられている気泡封入式の水準器を、更に具備する
ことを特徴とする請求項１または請求項２に記載の光波測量用ターゲット。
【請求項４】
前記ターゲット本体の中心軸を貫通している貫通孔部と、
該貫通孔部に連通していると共に前記ターゲット本体の側周面に開口しており、内周面に雌ネジが形成されているネジ孔と、
前記雌ネジと螺合する雄ネジが外周面に形成されており、前記ネジ孔内を進退する軸棒状の固定用ネジと
を更に具備することを特徴とする請求項１乃至請求項３の何れか一つに記載の光波測量用ターゲット。
【発明の詳細な説明】
【技術分野】
【０００１】
本発明は、光波測量用ターゲットに関するものである。
【背景技術】
【０００２】
土木工事、建築工事等では、ある地点の座標を測定したり複数の地点間の位置関係を定めたりするために、光波をターゲットに向けて発射し、反射光を光波測距儀で受光してターゲットまでの距離（及び水平角、垂直角）を計測する光波測量が行われている。例えば、座標が既知である基準点（既知点）が、工事現場にないときや数が不十分であるとき、既知点に基づき新たな基準点（新点）を設定するために光波測量が行われる。この場合、新点に光波測距儀を設置し、複数の既知点に設置したターゲットを視準して、既知点との位置関係から新点の座標を求める手法等により、新点の座標を決定することができる。
【０００３】
光波測量用のターゲットとしては、従来、ガラス製のコーナーキューブで光波を再帰反射させる一素子の反射プリズム（反射ミラー）が多用されている。この反射プリズムは、ポールに取り付けられた枠体に、ポールの軸方向に直交する軸（ポールを鉛直に立てたときの水平軸）周りに回転可能に支持されている（例えば、特許文献１の従来図７及びこれに関する記載を参照）。
【０００４】
そして、上記のように光波測量を行う際は、光波測距儀を操作する作業者とは別の作業者が、反射プリズムが取り付けられたポールを持って複数の既知点を巡回し、各地点で、ポールを鉛直に立てた状態で保持すると共に、反射プリズムが光波測距儀の対物レンズの方向を向くように、反射プリズムの角度を調整する。三脚を使用してポールを垂設させることもあるが、その場合は、ポールの軸心を中心軸としてポールを三脚に対して回動させることにより、或いは、反射プリズムが取り付けられている枠体を、ポールに対して回動させることにより、反射プリズムの角度を調整する。従って、複数の地点ごとで、反射プリズムの角度を調整する作業が、非常に煩雑であり、測量の作業効率が悪いという問題があった。
【０００５】
ここで、複数の既知点に反射プリズムを常設するという方法も想到し得る。しかしながら、その場合であっても、光波測距儀が設置される新点を移動させれば、反射プリズムの角度を調整し直す必要があるため、その作業が煩雑であり、測量の作業効率が悪いという事情は変わらない。
【０００６】
一方、一素子の反射プリズムを６個組み合わせ、周方向における異なる方向から光波が発射されても、何れかの反射プリズムに入射し易く、反射させられる光波の方向の自由度が高いターゲット、所謂「３６０度プリズム」が存在する。このようなターゲットを複数の既知点に常設すれば、光波測距儀を移動させる度にターゲットの水平方向の角度を調整するという煩雑な作業を行う必要はない。しかしながら、上記構成の「３６０度プリズム」は非常に高価であるため、これを複数備えることも、屋外に常設しておくことも実際的ではない。
【先行技術文献】
【特許文献】
【０００７】
【特許文献１】特開２００８−２０３０７９号公報
【発明の概要】
【発明が解決しようとする課題】
【０００８】
そこで、本発明は、上記の実情に鑑み、作業効率良く光波測量を行うことができると共に、低コストで製造することができる光波測量用ターゲットの提供を、課題とするものである。
【課題を解決するための手段】
【０００９】
上記の課題を解決するため、本発明にかかる光波測量用ターゲットは、「円柱状のターゲット本体と、該ターゲット本体の側周面に全周にわたり貼着された反射シートからなる反射層とを具備する」ものである。
【００１０】
「ターゲット本体」を構成する材料は、特に限定されず、金属、樹脂、セラミックス等を使用可能である。
【００１１】
「反射シート」は、測量用の反射シートとして市販されているものを使用することができる。ここで、反射シートとしては、樹脂製の基材シート上に金属蒸着層を介して、極微細なプリズム（マイクロプリズム）または極微細な真球ガラスビーズが、密集して配置され、透明な樹脂フィルムでコーティングされた反射シートを使用可能である。このような「反射シート」は、裏面に接着剤層が形成されているのが一般的であり、通常は、構造物などの平面上に直接貼着することにより、簡易なターゲットとして使用されている。
【００１２】
反射シートが「ターゲット本体の側周面に全周にわたり貼着された」構成は、円柱状のターゲット本体の側周面の全面に反射シートが貼着された構成に限定されず、ターゲット本体が高さ方向において、反射シートが全周にわたり貼着されている部分と、反射シートが貼着されていない部分とに分かれていても構わない。
【００１３】
本構成では、ターゲット本体が円柱状であり、その側周面の全周にわたり反射シートが貼着されているため、周方向のどの方向から光波が発射されても、光波を反射させることができる。これにより、従来の反射プリズムとは異なり、光波測距儀に向けて水平方向に角度を調整したり、光波測距儀を移動させる度に角度を調整し直したりする必要がなく、作業効率良く光波測量を行うことができる。
【００１４】
また、本構成の光波測量用ターゲットは、反射シートをターゲット本体に貼着したのみの非常に簡易な構成であり、反射シートは安価である。そのため、本構成の光波測量用ターゲットは、従来の一素子反射プリズムや、一素子反射プリズムを複数組み合わせた３６０度プリズムに比べて、低コストで製造することができる。これにより、本構成の光波測量用ターゲットを多数備えて、多数の地点に同時に設置しておいたり、座標が定められた新設の基準点に常設したりすることが可能となるため、より作業効率良く光波測量を行うことができる。
【００１５】
なお、反射シートは反射プリズムに比べて反射光の強度が小さいが、十分に実用的な距離で光波測量を行うことができる。また、近年では、反射プリズムをターゲットとして使用することなく、環境内の物体を目標物として高強度の光波を発射し、乱反射光を受光して計測を行うノンプリズムモードを備えた光波測距儀（ノンプリズムモードを備えたトータルステーション等）が使用されている。反射シートを使用した本構成の光波測量用ターゲットは、このノンプリズムモードで測量を行うことにより、従来の一素子反射プリズムをターゲットとして、プリズムモードで測量を行う場合と、同等の距離（３００ｍ以上）で測量をすることができる。
【００１６】
本発明にかかる光波測量用ターゲットは、上記構成に加え、「前記反射層を被覆している可撓性の透明な樹脂シートからなる保護層を具備する」ものとすることができる。
【００１７】
反射シートは、上述のように、従来は平面上に貼着して使用されていたものであり、可撓性に乏しい。そのため、強制的に湾曲させて円柱状のターゲット本体の側周面に貼着された反射シートは、その復元力により、ターゲット本体の側周面から浮き上がったり剥がれたりするおそれがある。そして、その場合は、測量された結果が誤差を包含してしまう。
【００１８】
これに対し、本構成では、可撓性の樹脂シートで、反射シートからなる反射層を被覆しているため、反射シートの浮き上がりや剥がれが抑制されている。また、樹脂シートで反射層が保護されているため、他の測量用具と共に光波測量用ターゲットを運搬したり、屋外に常設しておいたりする際に、反射層が損傷するおそれを低減することができる。そして、樹脂シートは透明であるため、反射層を被覆していても、反射シートによる光波の反射を妨げることがない。
【００１９】
なお、市販の反射シートは、上述のように、表面に透明な樹脂フィルム層を有しているのが一般的であるが、本構成における樹脂シートによる保護層は、それとは別に設けられるものである。
【００２０】
本発明にかかる光波測量用ターゲットは、上記構成に加え、「前記ターゲット本体の上面に設けられている気泡封入式の水準器を具備する」ものとすることができる。
【００２１】
従来の光波測量用ターゲットに水準器を備えているものはあるが、水準器はターゲットを支持する支持台等に設けられており、ターゲットを水平にする調整が間接的である。これに対し、本構成では、ターゲット本体に水準器が設けられているため、ターゲットを水平にする調整を正確に行うことができる。また、水準器がターゲット本体の上面に設けられているため、水準器を視認し易い利点がある。
【００２２】
本発明にかかる光波測量用ターゲットは、上記構成に加え、「前記ターゲット本体の中心軸を貫通している貫通孔部と、該貫通孔部に連通していると共に前記ターゲット本体の側周面に開口しており、内周面に雌ネジが形成されているネジ孔と、前記雌ネジと螺合する雄ネジが外周面に形成されており、前記ネジ孔内を進退する軸棒状の固定用ネジとを具備する」ものとすることができる。
【００２３】
本構成の光波測量用ターゲットは、貫通孔部にポールを挿通し、ネジ孔内を前進させた固定用ネジの先端をポールの側周面に当接させることにより、ポールに固定することができる。これにより、従前より測量に使用されているポールの径に合わせて、貫通孔部の径を設定することにより、測量従事者が既に所有しているポールに、本構成の光波測量用ターゲットを取り付けて使用することができる。
【００２４】
また、固定用ネジの雄ネジをネジ孔の雌ネジに対して螺退させて、固定用ネジを後退させることにより、ターゲット本体をポールに沿ってスライドさせることができる。これにより、ターゲット本体の地面からの高さを、容易に調整することができる。
【００２５】
従来の反射プリズムには、反射プリズムを支持する枠体の上端と下端とに、それぞれポールを接合し、連結するポールの数で反射プリズムの高さを調整するものがある。この場合、反射プリズムの高さの調整は不連続なものとなる。これに対し、ポールに沿ってターゲット本体をスライドさせ、固定用ネジによって任意の位置で固定できる本構成では、ターゲット本体の高さを連続的に調整することができる。
【発明の効果】
【００２６】
以上のように、本発明の効果として、作業効率良く光波測量を行うことができると共に、低コストで製造することができる光波測量用ターゲットを、提供することができる。
【図面の簡単な説明】
【００２７】
【図１】本発明の一実施形態である光波測量用ターゲットの（ａ）斜視図、及び、（ｂ）横断面図である。
【図２】図１の光波測量用ターゲットの分解斜視図である。
【図３】図１の光波測量用ターゲットをポールに固定し三脚に支持させた状態を示す斜視図である。
【図４】他の実施形態の光波測量用ターゲットの斜視図である。
【発明を実施するための形態】
【００２８】
以下、本発明の一実施形態である光波測量用ターゲット１について、図１乃至図３を用いて説明する。
【００２９】
本実施形態の光波測量用ターゲット１は、円柱状のターゲット本体１０と、ターゲット本体１０の側周面に全周にわたり貼着された反射シートからなる反射層２１と、反射層２１を被覆している可撓性の透明な樹脂シートからなる保護層２２と、ターゲット本体１０の上面に設けられている気泡封入式の水準器３０と、ターゲット本体１０の中心軸を貫通している貫通孔部１１と、貫通孔部１１に連通していると共にターゲット本体１０の側周面に開口しており、内周面に雌ネジ（図示しない）が形成されているネジ孔１２と、雌ネジと螺合する雄ネジ４１が外周面に形成されており、ネジ孔１２内を進退する軸棒状の固定用ネジ４０と、を具備している。
【００３０】
より詳細に説明すると、ターゲット本体１０は金属製であり、その高さ方向において下端側の約３／４に反射層２１及び保護層２２が設けられている。そして、この部分のターゲット本体１０は、反射層２１及び保護層２２の厚さの和、すなわち、反射シートと透明な樹脂シートそれぞれの厚さの和に相当する厚さ分、表面が切削されている。これにより、この部分においてターゲット本体１０の側周面に反射シートを貼着し、更に透明な樹脂シートで被覆することにより、光波測量用ターゲット１の側周面は単一面となる。
【００３１】
なお、本実施形態では、樹脂シートとして、透明性の高いポリカーボネートのシートを使用し、反射シートの上からターゲット本体１０を巻き締めている。
【００３２】
ネジ孔１２は、反射層２１及び保護層２２が設けられていない部分において、ターゲット本体１０の側周面に開口しており、貫通孔部１１に対して直交する方向に延びている。このネジ孔１２に挿通される軸棒状の固定用ネジ４０には、一端側の外周面に雄ネジ４１が形成されており、他端側には固定用ネジ４０の外径より大径の頭部４２が設けられている。この頭部４２には、図示は省略するが、滑り止め用の加工が施されている。
【００３３】
ターゲット本体１０には、上面に開口する凹部１３が、貫通孔部１１を避けて穿設されており、この凹部１３に、アルコール等の液体内に一つの気泡が封入された水準器３０が嵌め込まれている。
【００３４】
上記構成の光波測量用ターゲット１は、図３に示すように、ポール８０に固定し、三脚９０に支持させて使用することができる。図３では、一端が先鋭で他端に持手が設けられたポール８０を例示している。このポール８０を、固定用ネジ４０がネジ孔１２内で後退している状態で、ターゲット本体１０の貫通孔部１１に挿通し、その後、固定用ネジ４０を前進させて先端をポール８０の外周面に当接させることにより、ターゲット本体１０をポール８０に固定することができる。
【００３５】
この状態で、三脚９０において、３本の脚部９１の上端がそれぞれ回動自在に軸支された筒部９２にポール８０を挿通する。なお、図３では、ターゲット本体１０を三脚９０の上方に位置させる場合を例示しているため、ターゲット本体１０の貫通孔部１１に挿通したポール８０を三脚９０の筒部９２に挿通している。これとは逆に、ポール８０を三脚９０の筒部９２に挿通した後で、ターゲット本体１０の貫通孔部１１にポール８０を挿通することにより、ターゲット本体１０が筒部９２より下方に位置する状態で使用することもできる。
【００３６】
上記のようにポール８０及び光波測量用ターゲット１が三脚９０に支持された状態で、ポール８０の下端を既知点に合わせる。図３では、既知点に打ち込まれた鋲８９の上面に記された十字に、ポール８０の尖った下端を合わせることにより、位置合わせをしている状態を図示している。そして、水準器３０により、ターゲット本体１０が水平となるように、三脚９０の脚部９１の角度を調整する。なお、固定用ネジ４０をゆるめ、ターゲット本体１０をポール８０に沿って上下にスライドさせることにより、ターゲット本体１０の高さを調整することができる。
【００３７】
上記のようにして、複数の既知点に光波測量用ターゲット１を設置したら、新たに座標を決定したい地点（新点）に光波測距儀を設置し、光波測量用ターゲット１を視準して、光波測量を行う。
【００３８】
以上のように、本実施形態の光波測量用ターゲット１によれば、ターゲット本体１０が円柱状であり、その側周面の全周にわたり反射シートが貼着されているので、光波測量用ターゲット１の周囲３６０度のどの方向から光波が発射されても、光波を反射させることができる。これにより、光波測距儀に向けて水平方向に角度を調整したり、光波測距儀を移動させる度に角度を調整し直したりする必要がなく、作業効率良く光波測量を行うことができる。
【００３９】
そして、光波測量用ターゲット１は、非常に簡易な構成であり、安価な反射シートを使用して低コストで製造することができるため、光波測量用ターゲット１を多数備えて多数の地点に同時に設置しておき、光波測距儀で次々に視準することにより、作業効率良く光波測量を行うことができる。
【００４０】
また、反射シートの上から透明な樹脂シートを巻くことにより、反射層２１が保護層２２で被覆されているため、光波測量用ターゲット１の使用に伴い反射層２１が損傷するおそれを低減できると共に、反射シートの浮き上がりや剥がれに起因して測定誤差が生じるおそれを低減することができる。
【００４１】
更に、光波測量用ターゲット１では、ターゲット本体１０に直接水準器３０が設けられているため、ターゲットを水平にする調整を正確に行うことができる。また、水準器３０がターゲット本体１０の上面に設けられているため、水準器３０を視認し易い。
【００４２】
加えて、光波測量用ターゲット１は、貫通孔部１１に挿通したポール８０に、固定用ネジ４０の先端を当接させることにより、ポール８０に固定することができる。これにより、測量従事者が既に所有しているポール８０に、光波測量用ターゲット１を取り付けて使用することができる。また、固定用ネジ４０をゆるめた状態で、ターゲット本体１０をポール８０に沿って上下にスライドさせることにより、ターゲット本体１０の地面からの高さを、容易且つ連続的に調整することができる。
【００４３】
そして、固定用ネジ４０を挿入するネジ孔１２は、ターゲット本体１０において反射シートが貼着されていない部分に設けられているため、反射層２１がネジ孔１２の存在の影響を受けない利点を有していると共に、反射シートを貫通するようにネジ孔１２を穿設する場合に比べて、ネジ孔１２の加工が容易である。
【００４４】
以上、本発明について好適な実施形態を挙げて説明したが、本発明は上記の実施形態に限定されるものではなく、本発明の要旨を逸脱しない範囲において、種々の改良及び設計の変更が可能である。
【００４５】
例えば、他の実施形態として、図４に例示する光波測量用ターゲット２とすることができる。光波測量用ターゲット２が上記の光波測量用ターゲット１と相違する点は、貫通孔部、ネジ孔、及び固定用ネジを備えておらず、長棒状の杭８８の上端面にターゲット本体１０が固定されている点である。ここで、杭８８は角柱状の木材であり、ターゲット本体１０の中心軸は、杭８８の中心軸と一致している。すなわち、光波測量用ターゲット２は、下端部が地面に埋設される長棒状の杭８８を更に具備し、ターゲット本体１０が、その中心軸を杭８８の中心軸と同軸とした状態で、杭８８の上端に固定されているものである。
【００４６】
このような構成の光波測量用ターゲット２は、複数の既知点に基づいて座標が決定された新設の基準点において、杭８８の下端部を地面に埋設することにより、その地点に一定期間常設される測量標として使用することができる。なお、杭８８の下端を先鋭とすれば、杭８８を地面に打ち込み易く、下端部を容易に埋設することができる。
【符号の説明】
【００４７】
１，２  光波測量用ターゲット
１０  ターゲット本体
１１  貫通孔部
１２  ネジ孔
２１  反射層
２２  保護層
３０  水準器
４０  固定用ネジ
４１  雄ネジ
【図１】
2015145787.tif 000003
【図２】
2015145787.tif 000004
【図３】
2015145787.tif 000005
【図４】
2015145787.tif 000006